(57)【特許請求の範囲】
【請求項１】
式（１）で示される化合物からなるアスファルト合材付着防止剤。
Ｒ１Ｏ−［（ＥＯ）ｍ（ＡＯ）ｎ］−Ｒ２    ・・・（１）
（式中Ｒ１、Ｒ２はそれぞれ独立して炭素数１〜４の炭化水素基、ＥＯはオキシエチレン基、ＡＯは炭素数３〜４のオキシアルキレン基、ｍはオキシエチレン基の平均付加モル数、ｎは炭素数３〜４のオキシアルキレン基の平均付加モル数であり、ｍは１〜５、ｎは１〜５、ｍ＋ｎは２〜１０である。ＥＯとＡＯの各含有量の合計に対するＡＯ含有量の割合は２０〜７５質量％である。ＥＯとＡＯはブロック状に付加していてもランダム状に付加していてもよい。）
【発明の詳細な説明】
【技術分野】
【０００１】
本発明は、アスファルト合材に対する付着防止効果および剥離効果が高く、噴霧時にノズルに詰まり難いアスファルト合材付着防止剤に関する。
【背景技術】
【０００２】
道路舗装で用いられているアスファルト合材は、合材工場でアスファルトと骨材を１５０〜１８０℃で混合して製造されている。アスファルト合材が冷えて固まると、ホッパー、スキップエレベータ等の合材工場設備に付着することがある。付着物が多くなると、製造を止めて清掃を行う必要があるので、合材工場ではアスファルト合材の付着防止は生産性の面から非常に重要である。また、アスファルト合材の付着は、アスファルト合材運搬用のダンプトラックの荷台にも生じることがあり、道路舗装に際してアスファルト合材に接触するローラー等の舗装機器にも生じることがあるので、施工に係わるこれら機器等への付着を防止することは、施工効率の面からも非常に重要である。
【０００３】
そのため従来は、軽油、重油等の鉱物油をホッパー、スキップエレベータ等の合材工場設備に噴霧してアスファルト合材の付着を防止していた。しかし軽油、重油を使用すると、噴霧した油が製造設備外に流出して環境上の問題が生じていた。そのため、軽油、重油と付着防止性能が同等以上で環境上の問題が生じ難いアスファルト合材付着防止剤が望まれている。
【０００４】
一方、アスファルト合材付着防止剤は水で希釈し噴霧して使用するのが一般的である。噴霧の状態が悪くなると、薬剤の性能が発揮できなくなるので、噴霧するノズルに希釈液が詰まらないことが重要となる。
【０００５】
特許文献１には動植物油脂とポリオキシエチレンソルビット脂肪酸エステル類を組み合わせた潤滑油組成物が開示されている。しかし特許文献１の組成物では、水希釈した後の薬液の成分を均一に保つために撹拌混合設備が必要であるので、新たな設備投資を必要とするという問題があり、また噴霧装置のノズルに詰まりやすく定期的な分解洗浄が必要であるので、生産性が劣るという問題もある。
【０００６】
噴霧装置のノズルに詰まり難いアスファルト合材付着防止剤としては以下のものが挙げられる。特許文献２にはポリビニルアルコールを用いたアスファルト合材付着防止剤、特許文献３にはポリオキシアルキレングリコールを用いたアスファルト合材付着防止剤、特許文献４には３価および６価の多価アルコールポリオキシアルキレン付加物を用いたアスファルト合材付着防止剤がそれぞれ開示されている。油性成分を用いないこれらのアスファルト合材付着防止剤は、ノズルの詰まりが生じ難いものの、付着防止効果は不十分であり、また一度付着したアスファルトを剥離するという性能も十分ではなかった。
【先行技術文献】
【特許文献】
【０００７】
【特許文献１】国際公開第２００３／０３５８０９号
【特許文献２】米国特許第６４８６２４９号明細書
【特許文献３】特開平８−１２７７６１号公報
【特許文献４】特開２０００−１６０００２号公報
【発明の概要】
【発明が解決しようとする課題】
【０００８】
本発明は、上記従来の課題を解決するものであり、その目的は、アスファルト合材の付着防止効果および剥離効果が高く、噴霧時にノズルに詰まり難いアスファルト合材付着防止剤を提供することである。
【課題を解決するための手段】
【０００９】
本発明者らは、上記課題を解決するために鋭意検討を行った結果、特定のアルキレンオキシド誘導体からなるアスファルト合材付着防止剤が、付着防止効果および剥離効果が高く、噴霧時にノズルに詰まり難いことを見出し、本発明を完成するに至った。すなわち、本発明は、式（１）で示される化合物からなるアスファルト合材付着防止剤である。
【００１０】
Ｒ１Ｏ−［（ＥＯ）ｍ（ＡＯ）ｎ］−Ｒ２    ・・・（１）
【００１１】
（式中Ｒ１、Ｒ２はそれぞれ独立して炭素数１〜４の炭化水素基、ＥＯはオキシエチレン基、ＡＯは炭素数３〜４のオキシアルキレン基、ｍはオキシエチレン基の平均付加モル数、ｎは炭素数３〜４のオキシアルキレン基の平均付加モル数であり、ｍは１〜５、ｎは１〜５、ｍ＋ｎは２〜１０である。ＥＯとＡＯの各含有量の合計に対するＡＯ含有量の割合は２０〜７５質量％である。ＥＯとＡＯはブロック状に付加していてもランダム状に付加していてもよい。）
【発明の効果】
【００１２】
本発明のアスファルト合材付着防止剤は、アスファルト合材の付着防止効果および剥離効果が高く、噴霧時にノズルに詰まり難いので、アスファルト合材の生産性や施工の面で有用である。
【発明を実施するための形態】
【００１３】
以下、本発明の実施形態について説明する。本発明のアスファルト合材付着防止剤は、下記の式（１）で示される化合物からなる。
【００１４】
Ｒ１Ｏ−［（ＥＯ）ｍ（ＡＯ）ｎ］−Ｒ２    ・・・（１）
【００１５】
式（１）で示される化合物において、Ｒ１、Ｒ２はそれぞれ独立して炭素数１〜４の炭化水素基であり、好ましくは炭素数１〜２の炭化水素基である。Ｒ１、Ｒ２は具体的にはメチル基、エチル基、ｎ−プロピル基、イソプロピル基、アリル基、ｎ−ブチル基、ｓｅｃ−ブチル基、ｔｅｒｔ−ブチル基であり、好ましくはメチル基である。
【００１６】
ＥＯはオキシエチレン基、ＡＯは炭素数３〜４のオキシアルキレン基である。ＡＯとしては、例えば、オキシプロピレン基、１，２−オキシブチレン基が挙げられる。好ましくはオキシプロピレン基である。ｍはＥＯの平均付加モル数であり、１≦ｍ≦５、好ましくは２≦ｍ≦３である。ｍが１未満であると付着防止効果が低下し、ｍが５を超えると剥離性が悪くなる。ｎはＡＯの平均付加モル数であり、１≦ｎ≦５、好ましくは１≦ｎ≦２である。ｎが１未満であると剥離性が悪くなり、ｎが５を超えると付着防止性効果が低下する。また、ｍ＋ｎは２〜１０であり、好ましくは３〜５である。ｍ＋ｎが１０を超えると剥離性が悪くなる。
【００１７】
ＥＯとＡＯの各含有量の合計に対するＡＯ含有量の割合は、２０〜７５質量％、好ましくは４０〜６０質量％である。２０質量％未満では親水性が高くなるため剥離性が悪くなり、７５質量％を超えると親油性が高くなり水への溶解性が低くなるため噴霧時のノズルに詰まりやすくなる。
【００１８】
式（１）におけるＥＯとＡＯの付加する順序は特に限定はなく、ＥＯとＡＯがブロック状に付加していてもランダム状に付加していてもよい。好ましい順序はランダム状である。
【００１９】
式（１）で示される化合物は、両親媒性化合物であるので、油の代替となり、油を使用しなくても一液型で付着防止効果、剥離効果を発現することができる。また、式（１）で示される化合物は、親水性をも有するので、水に希釈して使用することができる。
【００２０】
式（１）で示される化合物は、公知の方法で製造することができる。例えば、炭素数１〜４のアルコールにエチレンオキシドおよび炭素数３〜４のアルキレンオキシドを付加重合した後、ハロゲン化アルキルをアルカリ触媒の存在下にエーテル反応させることによって得られる。
【００２１】
なお、水酸基を有する化合物にエチレンオキシド（ＥＯ）および炭素数３〜４のアルキレンオキシド（ＡＯ）を付加重合する段階においては、ＥＯとＡＯとをランダム重合しても良く、ブロック重合しても良い。また、オキシエチレン基（ＥＯ）や炭素数３〜４のオキシアルキレン基（ＡＯ）の各平均付加モル数、ＥＯとＡＯの各含有量の合計に対するＡＯ含有量の割合は、エチレンオキシドおよび炭素数３〜４のアルキレンオキシドの各使用量を調整することによって、調整することができる。
【００２２】
本発明のアスファルト合材付着防止剤は、アスファルト合材に接触する工場設備や機材にアスファルト合材が付着するのを防止する目的で、あるいは付着したアスファルト合材を剥離する目的で用いられる。アスファルト合材は、アスファルトを結合材として、骨材（砂利や砂、一部融解スラグ等）やフィラーを混合した混合材料であり、道路等の舗装に使用される。
【００２３】
本発明のアスファルト合材付着防止剤は、希釈せずに原液で使用しても良いが、通常は水で希釈して使用する。希釈倍率は原液に対して水で３〜１００質量倍、好ましくは５〜５０質量倍である。本発明のアスファルト合材付着防止剤は、ホッパー、スキップエレベータ等の合材工場設備で主に使用されるが、運搬に使用されるダンプトラックの荷台、舗装機器であるフィニッシャー、マカダムローラー、タイヤローラー等に使用しても良い。本発明のアスファルト合材付着防止剤は、刷毛等により塗布して使用しても良く、あるいはスプレイ等により噴霧して使用しても良い。ただし、本発明のアスファルト合材付着防止剤は、噴霧装置のノズルに詰まり難いという利点があるので、噴霧して使用する方が本発明の有利性がより顕著なものとなる。
【００２４】
本発明のアスファルト合材付着防止剤は、本発明の効果を阻害しない範囲内で、添加剤とともに組成物として使用することができる。かかる添加剤としては、例えば、低級アルコール、多価アルコール、陰イオン性界面活性剤、両性界面活性剤、非イオン性界面活性剤、陽イオン性界面活性剤、水溶性高分子、有機または無機塩類、ｐＨ調整剤、殺菌剤、キレート剤、色素、香料などが挙げられる。
【実施例】
【００２５】
以下、実施例および比較例を挙げて本発明をさらに具体的に説明する。なお、表１中の化合物１〜１１は、式（１）で示される化合物における各種パラメーターを表１に示す数値等にしたものである。また、表１中のＥＯはオキシエチレン基、ＡＯはオキシアルキレン基、ＰＯはオキシプロピレン基、ＢＯはオキシブチレン基であり、化合物１〜１１はいずれもＥＯとＡＯがランダム状に付加したものである。さらに、［（ＥＯ）／（ＰＯ）］はＥＯとＰＯのランダム状結合を表す。
【００２６】
（合成例１）
ポリオキシエチレン（３モル）ポリオキシプロピレン（２モル）ジメチルエーテル〔化合物１〕
ＣＨ３Ｏ［（ＥＯ）３／（ＰＯ）２］ＣＨ３
【００２７】
プロピレングリコール７６ｇと、触媒として水酸化カリウム３．１ｇをオートクレーブ中に仕込み、オートクレーブ中の空気を乾燥窒素で置換した後、攪拌しながら１４０℃で触媒を完全に溶解した。次に、滴下装置によりエチレンオキシド１３２ｇとプロピレンオキシド５８ｇの混合物を滴下させ、２時間攪拌した。次に、水酸化カリウム２２４ｇを仕込み、系内を乾燥窒素で置換した後、塩化メチル１８８ｇを温度８０〜１３０℃で圧入し５時間反応させた。その後、オートクレーブより反応組成物を取り出し、塩酸で中和してｐＨ６〜７とし、含有する水分を除去するため減圧−０．０９５ＭＰａ（５０ｍｍＨｇ）、１００℃で１時間処理した。さらに処理後生成した塩を除去するため濾過を行い、化合物１を得た。
【００２８】
塩化メチルを反応させる前にサンプリングし、精製したものの水酸基価が１０６であるのに対して、化合物１の水酸基価が０．５、末端メチル基数に対する水素原子数の割合が０．００５であることから、化合物１はほぼ完全に水素原子がメチル基に変換されている。
【００２９】
（合成例２〜１１）
合成例１と同様に表１に示す化合物２〜１１の合成を行った。
【００３０】
（実施例および比較例）
化合物１〜１１および表１の比較例６〜９に示す化合物をアスファルト合材付着防止剤として用いて、下記の評価テストを行なった。その結果を表１に併せて示す。なお、全てのテストにおいて「◎」および「○」の評価の化合物を合格と判定した。
【００３１】
（１）付着防止テスト
各アスファルト合材付着防止剤を水で１０倍に希釈した液を２０ｃｍ×１５ｃｍのＳＳ４００鋼材に１ｇ噴霧した後、１５０℃に加熱したストレートアスファルト合材（密粒度アスファルト合材  ストレートアスファルト  ６％  ストレートアスファルト針入度６０〜８０：ＪＩＳＫ２２０７）を１．０ｋｇ乗せて１分間常温で放置した。その後、鋼材を７０度の角度に傾斜させ、ストレートアスファルト合材を落とした。このストレートアスファルト合材を乗せて放置し、傾斜させてストレートアスファルト合材を落とす一連の操作を計５回繰り返し行った。鋼材に付着しているアスファルト合材を計量し、下記の基準に従い評価を行なった。
【００３２】
（評価基準）
◎：付着量が５ｇ未満である。
○：付着量が５ｇ以上１０ｇ未満である。
△：付着量が１０ｇ以上１００ｇ未満である。
×：付着量が１００ｇ以上である。
【００３３】
（２）剥離性テスト
１５０℃に加熱したストレートアスファルト合材（密粒度アスファルト合材  ストレートアスファルト  ６％  ストレートアスファルト針入度６０〜８０：ＪＩＳＫ２２０７）を２０ｃｍ×１５ｃｍのＳＳ４００鋼材に１．０ｋｇ乗せて１０分間常温で放置し、アスファルト合材が１．０ｋｇ付着した鋼材を作成した。その後、アスファルト合材が付着した鋼材を、各アスファルト合材付着防止剤を水で１０倍に希釈した液に、１０分間７０℃にて浸漬した。液から鋼材を取り出し、鋼材を７０度の角度に傾斜させ、ストレートアスファルト合材を落とした。鋼材に付着しているアスファルト合材を計量し、下記の基準に従い評価を行なった。
【００３４】
（評価基準）
◎：付着量が５ｇ未満である。
○：付着量が５ｇ以上１０ｇ未満である。
△：付着量が１０ｇ以上１００ｇ未満である。
×：付着量が１００ｇ以上である。
【００３５】
（３）ノズルの詰まりテスト
各アスファルト合材付着防止剤を水で１０倍に希釈した液を、噴霧器（アイリスオーヤマ株式会社製ＩＲ−Ｎ３０００、噴霧能力２５０ｍｌ／分）を用いて、噴霧した。噴霧初期の吐出量を１００％とし、噴霧１０分後の吐出量と噴霧状態を確認し、次の４段階の基準でノズルの詰まりを評価した。
【００３６】
（評価基準）
◎：吐出量が噴霧１回目の９８％以上であり、噴霧状態が均一で細かい。
○：吐出量が噴霧１回目の９５％以上９８％未満であり、噴霧状態が細かいが、やや偏りがある。
△：吐出量が噴霧１回目の８０％以上９５％未満であり、噴霧状態に偏りがあり、不均一である。
×：吐出量が噴霧１回目の８０％未満であり、噴霧状態が細かくならず、噴霧不良である。
【００３７】
【表１】
0005874282.tif 000002
【００３８】
表１に示す結果より、本発明に係る実施例１〜６のアスファルト合材付着防止剤は、アスファルト合材に対する付着防止効果および剥離効果が高く、噴霧時にノズルに詰まり難いことが分かる。
【００３９】
一方、比較例１（化合物７）は式（１）中のｍが０であり、ＡＯ／（ＥＯ＋ＡＯ）＝１０であるので、ノズルがやや詰まり易い。比較例２（化合物８）は式（１）中のｎが０であり、ＡＯ／（ＥＯ＋ＡＯ）＝０であるので、剥離効果が低い。比較例３（化合物９）は式（１）中のｍが５を超えており、ＡＯ／（ＥＯ＋ＡＯ）が２０質量％未満であるので、剥離効果が低い。比較例４（化合物１０）は式（１）中のＲ２が水素原子なので付着防止効果および剥離効果が低い。比較例５（化合物１１）はＲ１が水酸基、Ｒ２が水素原子であり、ｍ＋ｎが１０を超えているので付着防止効果および剥離効果が低い。比較例６はポリビニルアルコールなので付着防止効果および剥離効果が低い。比較例７はポリオキシプロピレングリセリンなので付着防止効果および剥離効果が低い。比較例８のポリオキシプロピレンソルビトールなので付着防止効果および剥離効果が低い。なお、これはポリオキシプロピレンソルビトールの末端がすべて水酸基であることによると推測される。比較例９は油性成分を含む配合なのでノズルが詰まり易く、剥離効果が低い。